(57)【要約】【課題】住宅用の警報器の警報の発生の移報を無線でなく、新たに結線を行うこともなく、電源線を介してできるようにした警報移報システムを得ることを目的とする。【解決手段】警報信号を出力する警報信号出力手段である制御回路１８と、  該制御回路１８からの警報信号に基づく移報信号を電源線３のＡＣ１００Ｖに重畳させる移報回路１６及び周波数発生回路１７からなる送信手段と、  送信手段の周波数発生回路１７からの移報信号が重畳されたＡＣ１００Ｖを電源線３を介して受信し、該移報信号とＡＣ１００Ｖとに分離する信号分離回路１２と、信号分離回路によって分離された移報信号に基づいて警報報知する報知手段である警報報知回路１５とを備えた受信手段とから構成されている。【選択図】図１
2007264784.tif 000002
【特許請求の範囲】
【請求項１】
警報信号を出力する警報信号出力手段と、
該警報信号出力手段からの警報信号に基づく移報信号を電源線に重畳させる送信手段と、
該送信手段からの移報信号を前記電源線を介して受信し、該移報信号と電源とを分離する信号分離回路と、信号分離回路によって分離された移報信号に基づいて警報報知する報知手段とを備えた受信手段と、
からなる警報移報システム。
【請求項２】
警報信号を出力する警報信号出力手段と、
該警報信号出力手段からの警報信号を受けて電源線のブレーカを動作させて停電状態を創出し、その停電状態を移報信号として電源線に送出する送信手段と、
該送信手段からの移報信号としての停電状態を検知する停電検出手段と、停電検出手段の検知信号に基づいて警報報知する報知手段とを備えた受信手段と、
からなる警報移報システム。
【発明の詳細な説明】
【技術分野】
【０００１】
本発明は一般の住宅における警報移報システム、更に詳しくは複数の警報器を連動させたり、一部の火災警報器が発報したことを同じ住居内の他の場所において警報報知させるようにしたものに関する。
【背景技術】
【０００２】
一般の住宅にも火災警報器の設置が義務化されようとしている。しかし、深夜の就寝中に警報音を鳴らしたいのは寝室であり、台所で火災が発生して台所で警報音が鳴っても、警報音が寝室まで聞こえない懸念があった。
そこで、かかる懸念を解消する従来の火災警報システムとしては、住宅内の各所、例えば台所、階段、寝室にそれぞれ火災警報器を設置し、且つ、このうちいくつかの例えば寝室に設置した火災警報器に移報入力回路を設置し、これら各火災警報器を移報配線を介してそれぞれ並列接続し、その移報配線を寝室の火災警報器が有する移報入力回路に接続している。そして、各火災警報器のうち、いずれかに火災の発生が検出された際には、その火災信号が移報配線を介して移報され、移報入力回路が設置されている火災警報器にて、火災の発生が検出されて報知されるようにしている（例えば、特許文献１参照）。
また、移報配線の代わりに無線電波により送信しようとする案もある。
【特許文献１】特開２００３−５８９６８号公報（第１頁、第１図）
【発明の開示】
【発明が解決しようとする課題】
【０００３】
しかしながら、上記従来の火災警報システムでは、火災の発生をある火災警報器から他の火災警報器に移報するために、電源線以外にそのための通信用として火災警報器を互いに有線である移報配線で接続しなければならないという必要があった。
また、移報配線の代わりに無線電波で送信しようとする場合には、他の目的で使用されていない周波数を確保しなければならないという課題があった。
本発明はかかる問題点を解決するためになされたもので、住宅用の警報器の警報の発生の移報を無線でなく、新たに結線を行うこともなく、電源線を介してできるようにした警報移報システムを得ることを目的とする。
【課題を解決するための手段】
【０００４】
本発明に係る警報移報システムは、警報信号を出力する警報信号出力手段と、該警報信号出力手段からの警報信号に基づく移報信号を電源線に重畳させる送信手段と、該送信手段からの移報信号を前記電源線を介して受信し、該移報信号と電源とを分離する信号分離回路と、信号分離回路によって分離された移報信号に基づいて警報報知する報知手段とを備えた受信手段とから構成されている。
また、本発明に係るもう１つの警報移報システムは、警報信号を出力する警報信号出力手段と、該警報信号出力手段からの警報信号を受けて電源線のブレーカを動作させて停電状態を創出し、その停電状態を移報信号として電源線に送出する送信手段と、該送信手段からの移報信号としての停電状態を検知する停電検出手段と、停電検出手段の検知信号に基づいて警報報知する報知手段とを備えた受信手段とから構成されている。
【発明の効果】
【０００５】
本発明の警報移報システムにおいては、警報信号出力手段が警報信号を出力し、送信手段が警報信号出力手段からの警報信号に基づく移報信号を電源線の商用電源としての例えばＡＣ１００Ｖに重畳させ、受信手段の信号分離回路が送信手段からの移報信号が重畳されたＡＣ１００Ｖを前記電源線を介して受信して移報信号と前記ＡＣ１００Ｖとに分離し、受信手段の報知手段が信号分離回路によって分離された移報信号に基づいて警報報知するようにしたので、ある場所にある警報器の警報信号を他の場所にある警報器に移報を行う場合に従来は移報のための移報配線を格別に行う必要があったが、その移報配線の代わりにＡＣ１００Ｖの電源線を利用して送信手段から受信手段に移報信号を伝送することができるため、移報配線が不要となると共にＡＣ１００Ｖの電源線を利用することにより、警報器同士、警報器と警報発生器との移報を行うための配線システムの自由度が大幅に広がるという効果がある。
【０００６】
また、本発明のもう１つの警報移報システムにおいては、警報信号出力手段が警報信号を出力し、送信手段が警報信号出力手段からの警報信号を受けて電源線のブレーカを、例えば短絡によりブレーカの検出電流以上の電流を流すことで動作させて停電状態を創出し、その停電状態を移報信号として電源線に送出し、受信手段の停電検出手段が送信手段からの移報信号としての停電状態を検知し、受信手段の報知手段が停電検出手段の検知信号に基づいて警報報知するようにしたので、ある場所にある警報器の警報信号を他の場所にある警報器に移報を行う場合に従来は移報のための移報配線を格別に行う必要があったが、その移報配線の代わりにＡＣ１００Ｖの電源線を利用して送信手段から受信手段に移報信号を伝送することができるため、移報配線が不要となると共にＡＣ１００Ｖの電源線を利用することにより、警報器同士、警報器と警報発生器との移報を行うための配線システムの自由度が大幅に広がるという効果がある。
【発明を実施するための最良の形態】
【０００７】
実施の形態１．
図１は本発明の実施の形態１に係る警報移報システムの構成を示すブロック図、図２は同警報移報システムの火災警報器の構成を示すブロック図、図３は同警報移報システムの火災警報発生器の構成を示すブロック図である。
図１に示すように、外部から各住宅に配線された商用電源であるＡＣ１００Ｖの送電線１は住宅内に設けられたブレーカ２を経て住宅内にＡＣ１００Ｖの電源線３が配線されている。その電源線３に接続されたコンセント４が例えば台所５、寝室６、居室７に設けられている。
台所５や居室７には火災警報器８が設置され、寝室６には火災警報発生器９が設置されている。
火災警報器８は煙又は熱等から火災を検出する機能と、検出した火災を居住者に報知する機能を有しているものをいう。また、火災警報発生器９は火災があったことを居住者に報知する機能だけを有しているものをいう。
【０００８】
図２に示す火災警報器８は、プラグ１１と、プラグ１１に接続され、ＡＣ１００ＶとＡＣ１００Ｖに重畳された移報信号とを分離する信号分離回路１２と、信号分離回路１２によって分離されたＡＣ１００Ｖを直流電圧に変換して内部の各回路に出力する電源回路１３と、煙又は熱等から火災を検出する火災検出回路１４と、火災や異常を報知する警報報知回路１５と、火災や異常の移報を行うために火災警報器のアドレスを含む各種の移報指令を出力する移報回路１６と、移報回路１６の各種移報指令に応じた所定の周波数を発生して移報出力する周波数発生器１７と、信号分離回路１２や火災検出回路１４からの信号が入力され、各種の制御信号を警報報知回路１５や移報回路１６に出力する制御回路１８とから主に構成されている。プラグ１１と周波数発生器１７との間には、周波数発生器１７の出力を電源線３に合流させるための素子の一例であるコンデンサ１９が設けられている。
また、警報報知回路１５には、火災や異常を警報音で報知する警報音発生器である例えばブザー２０と、火災や異常の発生を表示する表示部２１として、火災や異常の内容とそれがどこで発生したかが分かる火災警報器のアドレスを表示する表示部２１とが接続されている。
【０００９】
図３に示す火災警報発生器９は、プラグ１１と、プラグ１１に接続され、ＡＣ１００ＶとＡＣ１００Ｖに重畳された移報信号とを分離する信号分離回路１２と、信号分離回路１２によって分離されたＡＣ１００Ｖを直流電圧に変換して内部の各回路に出力する電源回路１３と、火災や異常を報知する警報報知回路１５と、信号分離回路１２からの信号が入力され、各種の制御信号を警報報知回路１５に出力する制御回路２２とから主に構成されている。
また、警報報知回路１５には、火災や異常を警報音で報知する警報音発生器である例えばブザー２０と、火災や異常の発生を表示する表示部２１として、火災や異常の内容とそれがどこで発生したかが分かる火災警報器８のアドレスを表示する表示部２１とが接続されている。
【００１０】
次に、本発明の実施の形態１に係る警報移報システムの動作について説明する。
例えば、台所５にある火災警報器８の火災検出回路１４は煙又は熱等を検出した検知信号を制御回路１８に出力している。制御回路１８では火災検出回路１４からの検出信号が火災レベルを示す所定の規定値以上か否かを判定し、規定値以上のときは火災と判定する。
そして、制御回路１８が火災と判定したときには、火災信号を警報報知回路１５に出力し、火災信号を受けた警報報知回路１５は動作して火災である旨を報知するブザー２０を鳴動させると共に表示部２１が火災と火災を検出した火災警報器８のアドレスを表示する。なお、表示部２１を火災表示灯として、点灯するなどして、火災表示するだけとしてもよい。
【００１１】
さらに、制御回路１８は、火災と判定した場合、火災の移報信号を移報回路１６に出力し、移報回路１６は火災の移報信号に応じた周波数を発生させる指令を周波数発生器１７に出力する。その指令の内容としては、例えば台所５の火災警報器８のアドレスを示す周波数（例えば３０ＫＨｚ）と、それに引き続き火災である旨を示す周波数（例えば１０ＫＨｚ）を発生させる。
また、制御回路１８が例えば火災検出回路１４等に異常があると判定した場合、異常の移報信号を移報回路１６に出力し、移報回路１６は異常の移報信号に応じた周波数を発生させる指令を周波数発生器１７に出力する。その指令の内容としては、例えば台所５の火災警報器８のアドレスを示す周波数（例えば３０ＫＨｚ）と、それに引き続き異常である旨を示す周波数（例えば２０ＫＨｚ）を発生させる。
【００１２】
周波数発生器１７は移報回路１６からの指令に基づいた周波数の信号を発生して移報出力を行うと、その移報出力はコンデンサ１９を介して、プラグ１１、コンセント４を経てＡＣ１００Ｖの電源線３に入力され、周波数発生器１７の周波数の信号は電源線３の例えば５０ＨｚのＡＣ１００Ｖに重畳される。
周波数発生器１７の周波数の信号が重畳されたＡＣ１００Ｖは電源線３、コンセント４及びプラグ１１を経て例えば寝室６にある火災警報発生器９で受信される。
火災警報発生器９の信号分離回路１２では、周波数発生器１７の周波数が重畳されたＡＣ１００Ｖから周波数発生器１７の周波数と５０ＨｚのＡＣ１００Ｖとに分離し、ＡＣ１００Ｖは電源回路１３に出力され、周波数発生器１７の周波数の信号は制御回路２２に出力される。電源回路１３はＡＣ１００Ｖを直流電圧に変換して内部の各回路へ電源として供給する。
【００１３】
周波数発生器１７の周波数の信号を受けた制御回路２２は、周波数からその周波数に割り当てられた内容を判断し、例えばその周波数が例えば台所５の火災警報器８のアドレスを示す周波数と、火災である旨を示す周波数であれば、台所５の火災警報器８からの火災信号であることを示す信号を警報報知回路１５に出力し、その信号を受けた警報報知回路１５は動作して火災である旨を報知するブザー２０を鳴動させると共に表示部２１が火災と火災を検出した火災警報器８のアドレスの表示を行う。なお、表示部２１を火災表示灯として、点灯するなどして、火災表示するだけでもよい。
以上の説明は、火災警報器８が火災の発生を検出した場合であるが、異常の発生を検出した場合も同様に火災警報発生器９に移報される。
また、寝室６の火災警報発生器９が台所５の火災警報器８の周波数発生器１７からの周波数の信号が重畳されたＡＣ１００Ｖを受信した場合の説明であるが、居室７の火災警報器８が台所５の火災警報器８の周波数発生器１７からの周波数の信号が重畳されたＡＣ１００Ｖを受信した場合にも、居室７の火災警報器８は寝室６の火災警報発生器９と同様に移報される。
【００１４】
この実施の形態１は、ある場所の火災警報器８の火災検出回路１４が火災を検出又は制御回路１８が火災検出回路１４の異常を検出した場合に、警報信号としての火災又は異常の移報信号が制御回路１８から移報回路１６に出力され、移報回路１６は火災又は異常の移報信号に応じた周波数を発生させる指令を周波数発生器１７に出力し、周波数発生器１７は移報回路１６からの指令に基づいた移報信号としての周波数の信号を発生して移報出力を行い、その移報出力の周波数の信号は電源線３のＡＣ１００Ｖに重畳され、その周波数の信号が重畳されたＡＣ１００Ｖは他の場所の火災警報発生器９又は火災警報器８で受信され、火災警報発生器９又は火災警報器８の信号分離回路１２では、周波数発生器１７の周波数が重畳されたＡＣ１００Ｖから周波数発生器１７の周波数と５０Ｈｚ（または６０Ｈｚ）のＡＣ１００Ｖとに分離し、周波数発生器１７の周波数の信号を受けた制御回路２２又は１８はその周波数に割り当てられた内容を判断し、ある場所の火災警報器８からの火災信号又は異常信号であることを示す信号を警報報知回路１５に出力し、その信号を受けた警報報知回路１５は動作して火災又は異常である旨を報知するブザー２０を鳴動させると共に表示部２１が火災又は異常である旨、及びある場所の火災警報器のアドレスの表示を行うようにしたので、火災又は異常を検出した部屋の火災警報器から他の部屋の火災警報器に火災又は異常の移報を行う場合に従来は移報のための移報配線を格別に行う必要があったが、その移報配線の代わりにＡＣ１００Ｖの電源線を利用して移報信号を伝送することができるため、移報配線が不要となると共にＡＣ１００Ｖの電源線を利用することにより、火災警報器同士、火災警報器と火災警報発生器との移報を行うための配線システムの自由度が大幅に広がることとなった。
【００１５】
実施の形態２．
図４は本発明の実施の形態２に係る警報移報システムの火災警報器の構成を示すブロック図、図５は同警報移報システムの火災警報発生器の構成を示すブロック図である。なお、火災警報器と火災警報発生器の設置場所は図１に示す実施の形態１と同様である。
この実施の形態２の火災警報器２８と火災警報発生器２９は、実施の形態１と同様にプラグ１１を有しており、台所５と居室７に火災警報器２８が設置され、寝室６に火災警報発生器２９が設置されているものとする。
【００１６】
図４に示す火災警報器２８は、プラグ１１と、プラグ１１に接続されて電源線３の電圧を検出する電圧検出回路３５と、プラグ１１に接続されて常時はＡＣ１００Ｖを直流電圧に変換して、内部の各回路に出力するとともに、電池３６に供給して充電を行い、停電のときには電池３６から内部の回路へ電源が供給される電源回路３７と、プラグ１１間に設けられた短絡スイッチ３８及び例えば１８Ａの大電流を流すための抵抗３９と、電源回路３７に接続され、煙又は熱等から火災を検出する火災検出回路４０と、電源回路３７に接続され、火災や異常を警報として報知する警報報知回路４１と、警報の移報を行うための移報指令を出力する移報回路４２と、電圧検出回路３５や火災検出回路４０からの信号が入力され、各種の制御信号を警報報知回路４１や移報回路４２に出力する制御回路４３とから主に構成されている。
また、警報報知回路４１には、火災や異常を警報音として報知する警報音発生器である例えばブザー４４と火災や異常を警報として表示する表示部４５とが接続されている。
【００１７】
図５に示す火災警報発生器２９は、プラグ１１と、プラグ１１に接続されて電源線３の電圧を検出する電圧検出回路３５と、プラグ１１に接続されて常時はＡＣ１００Ｖを直流電圧に変換して、内部の各回路に出力するとともに、電池３６に供給して充電を行い、停電のときには電池３６から内分各回路へ電源が供給される電源回路３７と、電源回路３７に接続され、火災や異常を報知する警報報知回路４１と、電圧検出回路３５からの信号が入力され、制御信号を警報報知回路４１に出力する制御回路４６とから主に構成されている。
また、警報報知回路４１には、警報を警報音で報知する警報音発生器である例えばブザー４４と警報を表示する表示部４５とが接続されている。
【００１８】
次に、本発明の実施の形態２に係る警報移報システムの動作について説明する。
例えば台所５にある火災警報器２８の火災検出回路４０は煙又は熱等を検出した検知信号を制御回路４３に出力している。制御回路４３では火災検出回路４０からの検出信号が火災レベルを示す所定の規定値以上か否かを判定し、規定値以上のときは火災と判定する。
そして、制御回路４３が火災と判定したときには、火災信号を警報報知回路４１に出力し、火災信号を受けた警報報知回路４１は動作して警報を報知するブザー４４を鳴動させると共に表示部２１が警報表示を行う。
【００１９】
さらに、制御回路４３は、火災と判定した場合、警報の移報信号を移報回路４２に出力し、移報回路４２は警報の移報信号に基づいて短絡スイッチ３８をオンさせる。そうすると、抵抗３９によって電源線３に例えば１８Ａの大電流が流れることによって電源線３に設けられている例えば１５Ａ以上でオフするブレーカ２が作動して停電状態になる。
例えば、寝室６の火災警報発生器２９では、その電圧検出回路３５が停電による電圧の低下を検出して検出信号を制御回路４６に送る。このとき、電池３６を電源とする電源回路３７によって動作する制御回路４６では、いずれかの火災警報器２８で警報の検出があったと判断し、警報であることを示す信号を警報報知回路４１に出力し、その信号を受けた警報報知回路４１は動作して警報である旨を報知するブザー４４を鳴動させると共に表示部４５が警報表示を行う。
【００２０】
以上の説明は、台所５の火災警報器２８が火災の発生を検出した場合であるが、異常の発生を検出した場合も同様に停電によって火災警報発生器２９に移報される。
また、寝室６の火災警報発生器９がいずれかの火災警報器２８の火災又は異常検出に伴う停電の発生に基づいた移報により警報を報知する場合の説明であるが、台所５の火災警報器２８が居室７の火災警報器２８に移報することについても、寝室６の火災警報発生器９と同様に停電によって移報される。
【００２１】
この実施の形態２は、ある場所の火災警報器２８の火災検出回路４０が火災を検出又は制御回路４３が火災検出回路４０の異常を検出した場合に、制御回路４３から火災又は異常を示す警報の移報信号が移報回路４２に出力され、移報回路４２は警報の移報信号に基づいて短絡スイッチ３８をオンさせ、抵抗３９によって電源線３に例えば１８Ａの大電流が流れることによって電源線３に設けられている例えば１５Ａ以上でオフするブレーカ２が作動して移報信号としての停電状態になり、これを他の場所にある火災警報発生器２９又は火災警報器２８では、その電圧検出回路３５が停電による電圧の低下を検出して検出信号を制御回路４６、４３に送り、電源回路３７（電池３６）によって動作する制御回路４６、４３では、いずれかの火災警報器２８に警報の検出があったと判断し、警報であることを示す信号を警報報知回路４１に出力し、その信号を受けた警報報知回路４１は動作して警報を報知するブザー４４を鳴動させると共に表示部４５が警報表示を行うを行うようにしたので、火災又は異常を検出した部屋の火災警報器から他の部屋の火災警報器に火災又は異常の移報を行う場合に従来は移報のための移報配線を格別に行う必要があったが、その移報配線の代わりにＡＣ１００Ｖの電源線を利用して停電に基づく移報信号を伝送することができるため、移報配線が不要となると共にＡＣ１００Ｖの電源線を利用することにより、火災警報器同士、火災警報器と火災警報発生器との移報を行うための配線システムの自由度が大幅に広がることとなった。
なお、火災警報器２８及び火災警報発生器２９は常時商用電源で稼動しているので、電源回路３７の電池３６は警報の場合にのみ使用され、電池容量を有効に利用できる。この電池３６は充電池で常時充電として用いることができ。ここで、例えばスーパーキャパシタ（電気２重層キャパシタ）を採用することもできる。このキャパシタは、コンデンサによって電気を蓄えるものであるが、一般のコンデンサに比べて体積当り、１０００倍以上の静電容量を持つ。そして、通常の充電池と比べて、薄型、何度充放電してもほとんど劣化しない、過酷な環境でも変わらず動作することが可能であるなどの特徴がある。
【００２２】
なお、上記実施の形態１、２の構成を有する火災警報器及び火災警報発生器を備えた警報移報システムとすることもできる。
上記実施の形態１、２では火災警報器８、２８が台所５と居室７に、火災警報発生器９、２９が寝室６に設置されている例を示したが、火災警報器８、２８や火災警報発生器９、２９の数はやこれらの設置場所は上記実施の形態１、２に限定されるものではなく、自由に設計できるはいうまでもない。
また、上記実施の形態１、２では火災警報器、火災警報発生器を例に挙げて説明したが、他の警報器、警報発生器についても本発明を適用できることはいうまでもない。
【図面の簡単な説明】
【００２３】
【図１】本発明の実施の形態１に係る警報移報システムの構成を示すブロック図。
【図２】同警報移報システムの火災警報器の構成を示すブロック図。
【図３】同警報移報システムの火災警報発生器の構成を示すブロック図。
【図４】本発明の実施の形態２に係る警報移報システムの火災警報器の構成を示すブロック図。
【図５】同警報移報システムの火災警報発生器の構成を示すブロック図。
【符号の説明】
【００２４】
１  電源線、４  コンセント、５  台所、６  寝室、７  居室、８  火災警報器、９  火災警報発生器、１１  プラグ、１２  信号分離回路（受信手段）、１３  電源回路、１４  火災検出回路（警報信号出力手段）、１５  警報報知回路（報知手段、受信手段）、１６  移報回路（送信手段）、１７  周波数発生器（送信手段）、１８  制御回路（警報信号出力手段）、２０  ブザー、２１  表示部、２２  制御回路（受信手段）、３５  電圧検出回路（停電検出手段、受信手段）。
【図１】
2007264784.tif 000003
【図２】
2007264784.tif 000004
【図３】
2007264784.tif 000005
【図４】
2007264784.tif 000006
【図５】
2007264784.tif 000007